(57)【特許請求の範囲】
【請求項１】
直径１から２ｍｍの鋼線を概略同一平面内に逆U字形に折曲した収納部を
２個以上横方向に配置しその下端の２箇所以上が接続されている構造を有する
ウエストサイズ調節具に、ズボンまたはスカートのウエスト端部を折り返し収納することでウエストサイズを調整する方法。
【請求項２】
直径１から２ｍｍの鋼線を概略同一平面内に逆U字形に折曲した収納部を
２個以上横方向に配置しその下端の２箇所以上が接続されている構造を有する
ウエストサイズ調節具において、逆U字収納部の形状を収納上部の形状を膨らませ
下側をすぼめた形状に置き換えることと、逆U字収納部の上部に滑り止め材を
取り付けることの両方、又はいずれかを実施したウエストサイズ調節具。
【発明の詳細な説明】
【技術分野】
【０００１】
この発明は、ズボン、スカート等の衣服のウエストサイズを小さく調節するウエストサイズ調節具に関するものである。
特に、ジーンズなどでベルトを使用せずに着用する場合に少し（１０ｍｍから60mm程度）ウエストサイズを目立たずに調節する場合に関する。
【背景技術】
【０００２】
従来より、ズボン、スカート等の衣服のウエストサイズを小さく調節するウエストサイズ調節具は公知である。
例えば、一枚の金属板を折曲し収納空間を設けるもの（特許文献１）、針金で構成され脚部の中央から立ち上がった本体部からなるもの（特許文献２）である。
【先行技術文献】
【特許文献】
【０００３】
【特許文献１】特開２０１１−２０８３０８号公報
【特許文献２】実開平４−４０１７号公報
【発明の概要】
【発明が解決しようとする課題】
【０００４】
しかしながら、以上の技術によればウエストサイズ調節具が外部から見た場合に目立つ状態で装着されていた。  またズボン、スカート等の衣服のウエスト部材を本来のズボン、スカート等の衣服のウエスト部材と垂直に引き出すことでウエストサイズを小さく調節するため垂直方向の厚みが大きく増してしまう場合があると言う問題点があった。  そこで、この発明は、目立たずにズボン、スカート等の衣服のウエストサイズを小さく調節するウエストサイズ調節具を提供することを課題とする。
【課題を解決するための手段】
【０００５】
以上の課題を解決するために、第一発明は直径１から２ｍｍ程度の鋼線を幅10mm程度のU字形に折曲し、その上部開放端それぞれを前記折曲部を含む平面に垂直で前記U字部の直線部分を含む平面上に奥行き５−１０ｍｍの逆U字に同一方向に折曲した収納部を設け、高さ２０から３０mm程度に形成されているウエストサイズ調節具である。
また、第二発明は、直径１から２ｍｍ程度の鋼線を概略同一平面内に逆U字形に折曲した収納部を２個以上横方向に配置しその下端の２箇所以上が接続されている構造を有するウエストサイズ調節具である。
また、第三発明は、第一発明又は第二発明において逆U字収納部の形状を収納上部の形状を膨らませ下側をややすぼめた形状に置き換え、滑り止め材を取り付けたウエストサイズ調節具である。
【発明の効果】
【０００６】
第一発明、又は第二発明によれば、ほぼ外部から見えることは無く、厚みが薄く目立ちにくく、簡単な構造でローコストで製造できるウエストサイズ調節具である。
また、第三発明によれば、第一発明、又は第二発明に滑り止め手段を追加することで、ウエスト上部生地からウエストサイズ調節具がずれにくくする効果がある。
【図面の簡単な説明】
【０００７】
【図１】第一発明の一実施形態を示す斜視図である。
【図２】第一発明の正面、左右上下から見た図である。
【図３】第一発明をズボン等のウエスト部に装着した状態を上から見た模擬図である。
【図４】第二発明一例の正面図とズボン等のウエスト部に装着した状態を上から見た模擬図である。
【図５】第二発明一例の正面図とズボン等のウエスト部に装着した状態を上から見た模擬図である。
【図６】第二発明一例の正面図とズボン等のウエスト部に装着した状態を上から見た模擬図である。
【図７】第二発明一例の正面図とズボン等のウエスト部に装着した状態を上から見た模擬図である。
【図８】第二発明一例の正面図とズボン等のウエスト部に装着した状態を上から見た模擬図である。
【図９】第三発明の逆U字収納部の形状を示す正面図である。
【発明を実施するための形態】
【０００８】
第一発明の一実施形態を、図１、図２、図３を用いて説明する。図1は第一発明の斜視図であり、図2はその正面、左右上下から見た図である。また図3はズボン等に本発明品を装着した状態を上部から見た模擬図である。模擬図において黒丸は垂直の鋼線、白抜きの二重線は上部の鋼線、縦じまの入った二重線は下部の鋼線、実線はズボン等のウエスト上端を模式的に表している。本発明は直径１から２ｍｍ程度の鋼線をU字形に折曲し、その上部開放端それぞれを前記折曲部を含む平面に垂直で前記U字部の直線部分を含む平面上に奥行き５−１０ｍｍの逆U字に同一方向に折曲した収納部を設け、高さ２０から３０mm程度に形成されている。図３に示した例はズボンのベルト通し部の裏に本発明品を装着した場合で、本発明品がズボンのベルト通し部に隠れ外部から見えにくく装着されている。U字形の部分はウエスト上部生地に包まれ外部から見えず、逆U字の垂直の鋼線はZ型、逆Z型に曲げられたウエスト上部生地でほぼ隠れる。外部から見えるのは逆U字の上端のみであるので、シャツのしわなどにより、ほぼ外部から見えることは無い。調節具を装着して増加する厚みは５から１０ｍｍに生地の厚みを加えた厚みであり目立ちにくい。この場合のウエストサイズの短縮幅はおよそ奥行きの寸法の２倍程度で１０から２０ｍｍ程度である。
【０００９】
第二発明の実施形態を図４から図８を用いて説明する。本発明は直径１から２ｍｍ程度の鋼線を概略同一平面内に逆U字形に折曲した収納部を２個以上横方向に配置しその下端の２箇所以上が接続されている構造を有する。図４から図８はそれぞれ本発明の実施例で、正面図とズボン等に本発明品を装着した状態を上部から見た模擬図である。模擬図において黒丸は垂直の鋼線、白抜きの二重線は上部の鋼線、縦じまの入った二重線は下部の鋼線、実線はズボン等のウエスト上端を模式的に表している。まず図４について説明する。概略同一平面状に逆U字形に折曲した収納部を２個横方向に配置しその下端の外側端同士を接続した形状である。模擬図の下側が調節具の装着者側で上側が外部である。この場合外部から見えるのは逆U字の上端のみであるので、シャツのしわなどにより、ほぼ外部から見えることは無い。この場合のウエストサイズの短縮幅はおよそ逆U字形幅寸法の４倍程度で第一発明より大きくし易い。本調節具を装着した場合のウエスト部の厚みの増加はおよそウエスト上部生地厚みの２倍と鋼線の直径の和で、短縮幅に関係なく一定で薄く外部から見て目立たず、装着の違和感も少ない。また、ウエスト部の張力が増加すると逆U字形の開放端が圧縮され逆U字形幅寸法が小さくなるのでウエストサイズが一時的に大きくなる効果もある。この場合でも圧縮される方向が概略同一平面状にあるので厚みが増加することが無い。図５の実施例は図４の実施例とほぼ同様であるが、逆U字構造の内側にU字構造が追加されている分ウエストサイズの短縮幅と圧縮幅が大きい特徴がある。図６の実施例は概略同一平面状に逆U字形に折曲した収納部を２個横方向に配置しその下端の内側端同士を接続した形状である。逆U字の直線部の片側が外部から見えるが、ウエスト部の張力が増加すると逆U字形の開放端とU字構造が圧縮され逆U字形幅寸法がそれぞれ小さくなるのでウエストサイズが一時的に大きくなる効果が大きい。また構造がシンプルでローコストに製作できるメリットがある。図７の実施例は概略同一平面状に逆U字形に折曲した収納部を２個横方向に配置しその下端の右側端同士を接続した形状である。逆U字の直線部の片側が外部から見えるが、逆U字形に折曲した収納部それぞれをウエスト上端生地が１枚のみ収納されるため厚い生地でも収納しやすいメリットがある。図８の実施例は概略同一平面状に逆U字形に折曲した収納部を３個横方向に配置し中心の逆U字形に折曲した収納部のその両下端を外側逆U字形に折曲した収納部の内側端とをそれぞれを接続した形状である。逆U字の直線部の片側が外部から見えるが、両側の逆U字構造がタック部分をウエストに密着した生地と一緒に収納しているので調節具がずれにくい特徴がある。
【００１０】
第三発明の実施形態を図９を用いて説明する。第三発明は第一発明又は第二発明において逆U字収納部の形状を図９の形状に置き換え滑り止め材を取り付けたものである。第一発明又は第二発明において逆U字収納上部の形状を膨らませ下側をややすぼめた形状にする、又は滑り止め材を逆U字収納部に取り付ける、又はその両方を実施することでウエスト上部生地からウエスト調節具がずれにくくする効果がある。ジーンズなどのウエスト上部生地の上端付近は生地の折り返しやその縫い糸で厚みがやや厚い場合が多い。この部分を逆U字収納上部の膨らんだ部分に収納すると下側がややすぼめた形状でありずれにくくなる。また滑り止め材を逆U字収納部に取り付けることでウエスト上部生地との摩擦力が大きくなりずれにくくなる。図９の黒塗り部分が滑り止め材である。特にウエスト部に張力が増加すると摩擦力も大きくなりずれにくくなる効果が大きい。また滑り止め材はゴム系塗料の塗布、ゴム系熱収縮チューブの装着などで実現可能である。
【００１１】
「他の実施形態」
図１から図8の実施形態では、逆U字収納部の開放端の長さやを下部鋼線より短い形状の実施例を示したが、装着しやすくするため長さを下部鋼線より長く変更することもできる。また図９の滑り止め材は一部に取り付けられているが、全体に取り付けることもできる。
【符号の説明】
【００１２】
１  垂直の鋼線            ２  上部の鋼線
３  下部の鋼線            ４  ズボン等のウエスト上端  
５  ズボンのベルト通し部
【図１】
0006371935.tif 000002
【図２】
0006371935.tif 000003
【図３】
0006371935.tif 000004
【図４】
0006371935.tif 000005
【図５】
0006371935.tif 000006
【図６】
0006371935.tif 000007
【図７】
0006371935.tif 000008
【図８】
0006371935.tif 000009
【図９】
0006371935.tif 000010